(57)【要約】【課題】 分岐部や曲がり管を有する複雑な配管内においても所望の箇所に自由に移動して検査・作業を行なうことのできる配管内作業装置および作業方法を提供する。【解決手段】配管作業装置は、装置本体と、前記配管内に挿入されるとともに前記装置本体の一端に配置される筒状のガイドホースと、それぞれが流体を前記ガイドホースの軸方向の速度成分を持たせて噴射可能なノズルを周方向に複数備え前記ガイドホースの外周に配置可能な推進ユニットと、前記推進ユニットを前記ガイドホースに取り付ける把持手段と、複数の前記ノズルからの流体の噴射を制御する制御手段と、を備える。【選択図】  図１
2015066538.tif 000002
【特許請求の範囲】
【請求項１】
装置本体と、
前記配管内に挿入されるとともに前記装置本体の一端に配置される筒状のガイドホースと、
それぞれが流体を前記ガイドホースの軸方向の速度成分を持たせて噴射可能なノズルを周方向に複数備え、前記ガイドホースの外周に配置可能な推進ユニットと、
前記推進ユニットを前記ガイドホースに取り付ける把持手段と、
複数の前記ノズルからの流体の噴射を制御する制御手段と、を備えることを特徴とする配管内作業装置。
【請求項２】
前記装置本体の進行方向を判断するセンサをさらに備えることを特徴とする請求項１に記載の配管内作業装置。
【請求項３】
前記推進ユニットを、前記ガイドホースの軸方向に異なる位置に複数設けるとともに、
前記制御手段は、複数の前記推進ユニットの少なくともいずれかの前記把持手段による前記ガイドホースへの取り付けおよび取り外しを制御することを特徴とする請求項１または請求項２に記載の配管内作業装置。
【請求項４】
装置本体の一端に筒状のガイドホースを配置する工程と、
前記ガイドホースの外周に、前記ガイドホースの軸方向の速度成分を持たせて流体を噴射可能なノズルを周方向に複数備えた推進ユニットを取り付ける工程と、
前記装置本体、前記ガイドホースおよび前記推進ユニットを配管内に挿入する工程と、
前記推進ユニットの周方向に設けられた複数の前記ノズルからの流体の噴射をそれぞれ制御して前記装置本体、前記ガイドホースおよび前記推進ユニットを前記管内を移動させる工程と、を備えることを特徴とする配管内作業方法。
【発明の詳細な説明】
【技術分野】
【０００１】
本発明の各実施形態は、配管内での検査・作業を行なう配管内作業装置および作業方法に関する。
【背景技術】
【０００２】
配管内での作業を行なう従来の技術としては、ガイドチューブに取り付けられ、流体を噴射して推進力を得る推進ノズルを設けた洗浄装置が知られている。（例えば、特許文献１参照）
【先行技術文献】
【特許文献】
【０００３】
【特許文献１】特開平１１−１１４５１３号公報
【発明の概要】
【発明が解決しようとする課題】
【０００４】
原子力発電所において炉心溶融等の過酷事故が発生した場合など、シールドプラグ、原子炉格納容器の上蓋、及び原子炉圧力容器の上蓋を容易に取外せない状況では、原子炉圧力容器に接続されている配管から検査・作業のために配管内作業装置を挿入することとなる。これらの原子炉圧力容器に接続されている配管には、逆止弁や弁座などの急激の口径が変化する（凸部、凹部）部分、また曲がりやＴ字状の分岐部が存在する。
【０００５】
しかしながら、上述の特許文献１に記載された従来の配管内作業装置では、作業対象となる配管に曲がりやＴ字状の分岐部が存在する場合に任意の方向へ移動させることについて考慮されていない。
【０００６】
本発明はこのような課題を解決するためになされたもので、分岐部や曲がり管を有する複雑な配管内においても所望の箇所に自由に移動して検査・作業を行なうことのできる配管内作業装置および作業方法を提供することをその目的とする。
【課題を解決するための手段】
【０００７】
上記課題を解決するために、本発明の実施形態に係る配管内作業装置は、装置本体と、前記配管内に挿入されるとともに前記装置本体の一端に配置される筒状のガイドホースと、それぞれが流体を前記ガイドホースの軸方向の速度成分を持たせて噴射可能なノズルを周方向に複数備え前記ガイドホースの外周に配置可能な推進ユニットと、前記推進ユニットを前記ガイドホースに取り付ける把持手段と、複数の前記ノズルからの流体の噴射を制御する制御手段と、を備えることを特徴とする。
【０００８】
また、上記課題を解決するために、本発明の実施形態に係る配管内作業方法は、装置本体の一端に筒状のガイドホースを配置する工程と、前記ガイドホースの外周に前記ガイドホースの軸方向の速度成分を持たせて流体を噴射可能なノズルを周方向に複数備えた推進ユニットを取り付ける工程と、前記装置本体、前記ガイドホースおよび前記推進ユニットを配管内に挿入する工程と、前記推進ユニットの周方向に設けられた複数の前記ノズルからの流体の噴射をそれぞれ制御して前記装置本体、前記ガイドホースおよび前記推進ユニットを前記管内を移動させる工程と、を備えることを特徴とする。
【発明の効果】
【０００９】
本発明によれば、分岐部や曲がり管を有する複雑な配管内においても所望の箇所に自由に移動して検査・作業を行なうことのできる配管内作業装置および作業方法を提供することができる。
【図面の簡単な説明】
【００１０】
【図１】本発明の第１の実施の形態に係る配管内作業装置および配管内作業方法の概略図。
【図２】本発明の第１の実施の形態に係る配管作業装置の推進ユニットの構成図。
【図３】本発明の第３の実施の形態に係る配管内作業装置および配管内作業方法の概略図。
【図４】本発明の第２の実施の形態に係る配管内作業方法の概略説明図。
【発明を実施するための形態】
【００１１】
以下本発明の実施の形態について図面を参照して説明する。
【００１２】
図１は本発明の第１の実施の形態に係る配管内作業装置および配管内作業方法の概略図であり、図２は図１に示した配管内作業装置のうち推進ユニットの詳細を示した構成図である。なお、図１および図２において、同一の構成については同一の符号を付しその詳細な説明を省略する。
【００１３】
図１に示したように、配管１は直管部だけでなく、Ｔ字状の分岐部などを備える。本実施の形態に係る配管内作業装置は、装置本体２と、配管１内に挿入されるとともに装置本体２の一端に配置される筒状のガイドホース４と、ガイドホース４の外周に配置可能な推進ユニット５、推進ユニット５を制御する制御手段として制御装置１２とを備える。
【００１４】
本実施の形態においては、装置本体２にはセンサとしてテレビカメラ３が設けられている。ガイドホース４は中空円筒状であり、樹脂等の可撓性のある材料から構成される。
【００１５】
図２に示すように、推進ユニット５には圧力流体が圧力流体供給ホース８ａ，８ｂ，８ｃ，８ｄ，…から供給される。なお、圧力流体供給ホース８ａ，８ｂ，８ｃ，８ｄ，…は、ガイドホース４内を通って推進ユニット５に接続される構成とすることもできる。推進ユニット５には、複数のノズル６ａ，６ｂ，６ｂ，６ｄ，…が設けられており、それぞれ圧力流体供給ホース８ａ，８ｂ，８ｃ，８ｄ，…と接続されている。各ノズル６ａ，６ｂ，６ｂ，６ｄ，…は、圧力流体供給ホース８ａ，８ｂ，８ｃ，８ｄ，…から供給された圧力流体をそれぞれガイドホース４の軸方向の速度成分を持たせて噴射可能に配置されている。
【００１６】
本実施の形態においては、ノズル６ａ，６ｃとノズル６ｂ、６ｄからの圧力流体の噴射方向がガイドホース４の軸方向について逆方向となるように構成されている。ガイドホース４の軸方向に関する噴射方向が同じ向きのノズル６ａ，６ｃ，・・・（あるいは６ｂ，６ｄ，…）は、ガイドホース４の周方向の位置がそれぞれ異なるように配置される。すなわち、推進ユニット５には、少なくとも３つの周方向位置が異なり、かつ、ガイドホース４の軸方向に関する噴射方向が同じ向きの複数のノズル６ａ，６ｃ，・・・（あるいは６ｂ，６ｄ，…）が設けられる。
【００１７】
推進ユニット５は、ガイドホース４を把持して推進ユニット５をガイドホース４の外周に配置・固定する把持手段９を備える。また、推進ユニット５には、装置本体２、ガイドホース４および推進ユニット５の進行方向を判断するためのセンサとしてカメラ１０a，１０ｂおよび照明１１ａ，１１ｂが設けられている。なお、センサとしては、カメラ１０a，１０ｂおよび照明１１ａ，１１ｂのほか、加速度センサやジャイロ、あるいは流体ノズルなどを用いることもできる。
【００１８】
推進ユニット５内に設けられた制御装置１２は、複数のノズル６ａ，６ｂ，６ｃ，６ｄ，…からの圧力流体の噴射や、把持手段９によるガイドホース４への推進ユニット５の取り付けおよび取り外し、またカメラ１０ａ，１０ｂおよび照明１１ａ，１１ｂを制御する。
【００１９】
このように構成された本実施の形態において、装置本体２の一端にガイドホース４を配置し、ガイドホース４の外周に推進ユニット５を取り付け、装置本体２、ガイドホース４および推進ユニット５を配管１内に挿入する。
【００２０】
そして制御装置１２により、図１に示すように周方向に異なる位置に設けられたノズル６ａ，６ｃ，…から噴射される噴射流体７ａ，７ｃ，…の強さを制御する。これにより装置本体２，ガイドホース４および推進ユニット５は、その進行方向を調整しながら配管１内を移動する。
【００２１】
噴射流体７ａ，７ｃ…の調整は圧力流体供給ホース８ａ，８ｃ，…からの圧力流体の圧力を調整することで行なう。なお、本実施の形態では制御装置１２を推進ユニット５に設けているが、制御装置１２を推進ユニット５内ではなく圧力流体供給ホース８ａ，８ｂ，８ｃ，８ｄ，・・・の供給元側に設けることも可能である。
【００２２】
なお、制御装置１２により、推進ユニット５の前方に設けたノズル６ｂ，６ｄ，…から流体を噴射させることによりガイドホース４を逆向きに移動（後退）させることもできる。
【００２３】
配管１の分岐部では、装置本体２に登載したカメラ３や推進ユニット５に搭載したカメラ１０ａ，１０ｂを用いて装置本体２、推進ユニット５やガイドホース４の姿勢を確認しながら制御装置１２を用いて装置本体２、推進ユニット５およびガイドホース４を所望の方向に移動させる。
【００２４】
本実施の形態においては、把持手段９により推進ユニット５がガイドホース４を把持することから、装置本体２とガイドホース４を配管１内の所定位置に移動させることができる。
【００２５】
なお、本実施の形態において、装置本体２の一端にガイドホース４をあらかじめ配置した状態として装置本体２、ガイドホース４および推進ユニット５を一体的に配管１内に挿入して移動させるほか、装置本体２をガイドホース４内を移動可能な構成とすることもできる。
【００２６】
この場合、まず、推進ユニット５を取り付けたガイドホース４を装置本体２なしで推進ユニット５により所定位置に移動させる。その後、装置本体２をガイドホース４内に挿入し、装置本体２に設けた移動手段などを用いてガイドホース４の端部まで移動させ、装置本体の一端にガイドホース４が位置する（配置される）ようにする。
【００２７】
また、装置本体２、ガイドホース４および推進ユニット５を一体化した配管内作業装置として用意し、これを配管１内に挿入して作業を行なうこともできる。この場合、一体化した配管内作業装置を必要な配管、ケーブルなどとともに気密室内に準備し、作業対象となる配管１と気密室を延長ホースで接続し、気密室内の一体化された配管内作業装置を遠隔操作して作業を行なう公正とすることも可能である。
【００２８】
本実施の形態によれば、推進ユニット５の周方向に異なる位置に設けられたノズル６ａ，６ｃ，…から噴射させる噴射流体７ａ，７ｃ，…の強さを制御装置１２により調整することにより進行方向を自由に調整することができるので、配管１が分岐部や曲がり管などを有する複雑な形状であっても配管内作業装置を所望の箇所に自由に移動して検査・作業を行なうことができる。
【００２９】
次に、本発明の第２の実施の形態を図３および図４を用いて説明する。図３は、本発明の第２の実施の形態に係る配管内作業装置および配管内作業方法の概略図である。図４は、本発明の第２の実施の形態に係る配管内作業方法の概略説明図である。なお図３および図４において、図１および図２と同一の構成には同一の符号を付し、重複する説明は省略する。
【００３０】
本実施の形態においては、図１で示した第１の実施の形態の推進ユニット５に加えて、ガイドホース４の軸方向の位置が異なる第２の推進ユニット２５を設け、２台の推進ユニット５，２５を備えるようにしたものである。
【００３１】
第２の推進ユニット２５の構成は推進ユニット５と同一であり、圧力流体を噴射させるノズル２６ａ，２６ｂ，２６ｃ，２６ｄ，…と、ガイドホース４を把持する把持機構２９が設けられる。図示しないが、ノズル２６ａ，２６ｂ，２６ｃ，２６ｄ，…には推進ユニット５と同様、圧力流体供給ホースがそれぞれ接続されている。
【００３２】
このように構成された本実施の形態において、第１の実施の形態と同様に、推進ユニット５および推進ユニット２６を制御してガイドホース４を配管１内に挿入して移動させる。図４（ａ）に示すように配管１のＴ字状の分岐部やエルボ部等のコーナでは、ガイドホース４が引っかかることがあり、摩擦抵抗等により、ガイドホース４を挿入するための負荷が増大する恐れが生じる。
【００３３】
このような場合に、図４（ｂ）に示すように第２の推進ユニット２５の把持手段２９を制御装置１２により解除して、ノズル２６ｂ，２６ｄ，…から噴射流体２７ｂ，２７ｄ，…を噴射させて、ガイドホース４の外面に沿って図中の矢印Ｒの方向に第２の推進ユニット２５を後退移動させる。
【００３４】
このとき推進ユニット５はガイドホース４を把持機構９で把持して、矢印Ｆ方向に移動しているため、第２の推進ユニット２５だけガイドホース４の外面に沿って戻すことができる。
【００３５】
ガイドホース４の外面に沿って矢印Ｒの方向に第２の推進ユニット２５が戻されると、制御装置１２は第２の推進ユニット２５の把持手段２９を制御してガイドホース４を再び把持し、ノズル２６ａ，２６ｃ，…から噴射流体２７ａ，２７ｃ，…を噴射させることにより、ガイドホース４を繰出す。これにより、装置本体２を矢印Ａ方向に進める。
【００３６】
このように、本実施の形態によれば、ガイドホース４の軸方向に対して位置の異なる第２の推進ユニットを設けたことにより、複雑な形状をした配管内において、ガイドホース４の位置を任意に調節しながら配管内作業装置全体を所望の位置に移動させることが可能となる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１…配管  ２…装置本体  ３…テレビカメラ  ４…ガイドホース  ５、２５…推進ユニット  ６ａ、６ｂ、６ｃ、６ｄ、２６ａ、２６ｂ、２６ｃ、２６ｄ…ノズル  ７ａ、７ｂ、７ｃ、７ｄ、２７ａ、２７ｂ、２７ｃ、２７ｄ…噴射流体  ８ａ、８ｂ，８ｃ、８ｄ…圧力流体供給ホース  ９、２９…把持手段  １０ａ、１０ｂ…カメラ  １１ａ、１１ｂ…照明  １２…制御装置
【図１】
2015066538.tif 000003
【図２】
2015066538.tif 000004
【図３】
2015066538.tif 000005
【図４】
2015066538.tif 000006